(57)【要約】【課題】電気コネクターの構造の提供。【解決手段】本考案は電気コネクターの構造であり、それは主に絶縁本体、ホルダープレート、複数個の端子、及び絶縁本体外側を覆う遮蔽ケースから構成され、その中のホルダープレートは連結部、延長部及び複数個の双接点クリップで構成される。ホルダープレートは絶縁本体の後端から入れ、絶縁本体に固定され、延長部を絶縁本体の後端に貼り合わせる。遮蔽ケースは絶縁本体の前端から組み合わされ、また絶縁本体を覆い、且つ遮蔽ケースを延長して設置した接触プレートは絶縁本体の溝を貫通することができ、ホルダープレートの延長部と接触干渉を形成する。【選択図】図２
0003123859.tif 000002
【実用新案登録請求の範囲】
【請求項１】
絶縁本体、その絶縁本体に固定されたホルダープレート及び複数個の端子、及びその絶縁本体の外側を覆う遮蔽ケースを含み、そのうち、当該ホルダープレートは連結部、延長部、及び複数個の双接点クリップから構成され、後端方向からその絶縁本体に入れ、延長部を絶縁本体の後端に貼り合せ、その遮蔽ケースは前端方向から入れ、並びにその絶縁本体を覆い、且つその遮蔽ケースを延長して設けた接触プレートがその絶縁本体の溝を貫通し、そのホルダープレートの延長部と接触することを特徴とする電気コネクターの構造。
【請求項２】
当該ホルダープレートの延長部上に通し穴を設け、その接触プレートはその絶縁本体の溝を貫通し、且つ同時にその延長部上の通し穴を貫通して干渉を形成することを特徴とする請求項１記載の電気コネクターの構造。
【請求項３】
当該延長部が連結部両側を長さ方向に沿って延長拡張され、並びに絶縁本体の後端上に貼り合わされることを特徴とする請求項１記載の電気コネクターの構造。
【請求項４】
当該接触プレートが遮蔽ケース両側近くに設けられ、且つホルダープレートの長さ方向と垂直に延長されることを特徴とする請求項１記載の電気コネクターの構造。
【請求項５】
当該延長部が連結部上に間隔をあけて配列され、接触プレートがその延長部の位置間隔に相対して遮蔽ケース上に設置されることを特徴とする請求項１記載の電気コネクター構造。
【考案の詳細な説明】
【技術分野】
【０００１】
本考案は電気コネクターに関するもので、特に低電圧差動信号表示インターフェースに適用される薄型電気コネクターである。
【背景技術】
【０００２】
近年、パネル製品上に広く使用されている薄型電気コネクターは、一般に広くＬＶＤＳ（Ｌｏｗ  Ｖｏｌｔａｇｅ  Ｄｉｆｆｅｒｅｎｔｉａｌ  Ｓｉｇｎａｌ）電気コネクターとも称され、回路板上に溶接固定されている。また対応プラグを有するフレキシブル回路板と接続され、フレキシブル回路板を回路板上に電気的に接続する。その小型化構造により、当該電気コネクターの構造設計上、特に外層の金属ケースや信号端子とアース用パーツ間のレイアウト方法に制限を受け、さらに電気コネクターのホルダー力、及びパーツ間の連結強度を同時に兼ね備える必要がある。通常、外層の金属ケースは電気コネクターの絶縁本体外側を覆い、絶縁本体の強度を増すのに用いられる。同時に外層の金属ケースとアース用パーツの接触を形成させると、さらに効果的に電磁波や静電気の影響を除去することができる。特許文献１の中で電磁波防止及びアースの両機能を高める電気コネクターが紹介され、その技術内容はおおむね図１に示す通りである。アースプレート１１、絶縁体１２、及びカバー１３で構成される電気コネクターの中、アースプレート１１の片側を延長させたアースクリップ部１１１を有する。各パーツの組立てが完成すると、アースクリップ部１１１は絶縁体１２のスリット１２１中に入り、並びに上向きの弾性によりカバー１３の片側のパネル１３１内面に接触させ、カバー１３をアースプレート１１と電気的な導通を形成させる。さらにアースプレート１１の後ろ側のアース端子部１１２で外部回路板と接続してアースを形成する。
【０００３】
但し、アースクリップ部１１１は上向きの弾性角度を持つため、加工する時は正確にコントロールするのは容易ではない。弾性角度が小さすぎると、組立後のアースクリップ部１１１はパネル１３１の内面と接触できず、弾性角度が大きすぎると、カバー１３とアースプレート１１とを反対方向に組み合わせるため、組立時にアースクリップ部１１１がカバー１３の端にぶつかりやすく、アースプレート１１の破壊をまねく。さらに従来の技術の中で、アースプレート１１の両側の構造は、アースクリップ部１１１及びアース端子部１１２を除き、大多数がさらにホルダープレート１２３等の部分を包括し、アースプレート１１の構造が複雑になりすぎ、生産製造が不利になる。同時に、絶縁体１３の構造及び設計上の複雑性にも影響を与える。本考案は上記の欠点に対し改良を行ったものである。
【０００４】
【特許文献１】台湾特許第０９２１２３８６３号明細書
【考案の開示】
【考案が解決しようとする課題】
【０００５】
本考案の目的は、電気コネクターの構造を提供して、組立ての便を図り、生産不良率を下げる目的を達成することである。
【０００６】
本考案の目的は、電気コネクターの構造改良を提供して、遮蔽ケースとアースプレート間により効果的な接触を形成し、電磁波防止の目的を達成することである。
【０００７】
本考案の目的は、電気コネクターの構造改良を提供し、各部位のパーツの設計をより簡単にすることである。
【０００８】
前記の目的を実現するため、本考案は電気コネクター構造を提供し、それは主に絶縁本体、ホルダープレート、複数個の端子、及び絶縁本体外側を覆う遮蔽ケースから構成される。その中でホルダープレートは連結部、延長部及び複数個の双接点クリップで構成され、絶縁本体の後端から入れて固定され、延長部を絶縁本体の後端に貼り合わせる。且つ遮蔽ケースは絶縁本体の前端に組み合わされて絶縁本体を覆い、且つ遮蔽ケースを延長して設けられた接触プレートは絶縁本体の溝を貫通することができ、ホルダープレートの延長部と接触干渉を形成する。
【課題を解決するための手段】
【０００９】
請求項１の考案は、絶縁本体、その絶縁本体に固定されたホルダープレート及び複数個の端子、及びその絶縁本体の外側を覆う遮蔽ケースを含み、そのうち、当該ホルダープレートは連結部、延長部、及び複数個の双接点クリップから構成され、後端方向からその絶縁本体に入れ、延長部を絶縁本体の後端に貼り合せ、その遮蔽ケースは前端方向から入れ、並びにその絶縁本体を覆い、且つその遮蔽ケースを延長して設けた接触プレートがその絶縁本体の溝を貫通し、そのホルダープレートの延長部と接触することを特徴とする電気コネクターの構造としている。
請求項２の考案は、当該ホルダープレートの延長部上に通し穴を設け、その接触プレートはその絶縁本体の溝を貫通し、且つ同時にその延長部上の通し穴を貫通して干渉を形成することを特徴とする請求項１記載の電気コネクターの構造としている。
請求項３の考案は、当該延長部が連結部両側を長さ方向に沿って延長拡張され、並びに絶縁本体の後端上に貼り合わされることを特徴とする請求項１記載の電気コネクターの構造としている。
請求項４の考案は、当該接触プレートが遮蔽ケース両側近くに設けられ、且つホルダープレートの長さ方向と垂直に延長されることを特徴とする請求項１記載の電気コネクターの構造としている。
請求項５の考案は、当該延長部が連結部上に間隔をあけて配列され、接触プレートがその延長部の位置間隔に相対して遮蔽ケース上に設置されることを特徴とする請求項１記載の電気コネクター構造としている。
【考案の効果】
【００１０】
本考案は電気コネクターの構造、組立ての便を図り、生産不良率を下げる目的を達成することである。遮蔽ケースとアースプレート間により効果的な接触を形成し、電磁波防止の目的を達成することである。各部位のパーツの設計をより簡単にすることである。
【考案を実施するための最良の形態】
【００１１】
図２及び図３は、本考案の電気コネクター構造の第一実施例の立体図及び分解図である。その中で、電気コネクター２００は主に絶縁本体２０、複数個の端子３０、ホルダープレート４０、及び遮蔽ケース５０から構成される。長い枠体状を呈する絶縁本体２０の前端２１に接続用ジャックを有し、オス電気コネクターと連結する。その後端２２上には多数の端子ソケット２３を設け、後端２２近くの２つの端に絶縁本体２０の前端２１及び後端２２方向に貫通する溝２４を設ける。複数個の端子３０はそれぞれ独立して端子ソケット２３内に挿入され、その接触端３１を前端２１方向へ延長し、及び溶接端３２を絶縁本体２０の外へ延長する。ホルダープレート４０は複数個の同一方向に沿って延長する双接点クリップ４１、当該双接点クリップ４１を接続する連結部４２、及び連結部４２の両端から外へ延長拡張する延長部４１１から構成される。当該双接点クリップ４１は端子ソケット２３から絶縁本体２０内を貫通して設置され、同時に保持を形成し、連結部４２及び延長部４１１を絶縁本体２０後端２２上に合わせる。且つ延長部４１１上にそれぞれ通し穴４１２を開け、また通し穴４１２を後端２２上の溝２４に合わせる。
【００１２】
枠体状の金属製遮蔽ケース５０は、絶縁本体２０の前端２１方向から入れ、また絶縁本体２０の外側に覆われる。その両端近くに、絶縁本体２０との干渉に用いるホールド部５１が溝２４内を通して設置される。且つそのホールド部５１はさらに絶縁本体２０の後端２２方向へ接触プレート５２を延長して、接触プレート５２の前端の一部分を溝２４に通し、またホルダープレート４０の通し穴４１２を貫通して、ホルダープレート４０と接触する。
【００１３】
図４は本考案の電気コネクターの局部拡大断面図である。図からわかるように、ホールド部５１及び接触プレート５２は絶縁本体２０の溝２４を貫通した後、後端２２上のホルダープレート４０と接触する。接触プレート５２とホルダープレート４０との確実な接触を達成させるため、特に通し穴４１２の側端上に凸板４１３を設置し、並びに通し穴４１２の両端を丸穴状に開け、接触プレート５２を通し穴４１２内に進入させやすくし、且つ図５に示すように、必然的に凸板４１３と接触を形成する。
【００１４】
本考案の設計方法は、ホルダープレート４０を周知の技術の図１のようなアースクリップ部１１２の設計にする必要がなく、製造過程の不良が減らせる。同時に絶縁本体１２上にアースクリップ部１１２を通して設置するための溝１２１も省略することができ、パーツの構造が簡素化できる。さらには接触プレート５２と通し穴４１２との間に軽度の干渉状態を形成させることができる。図６に示すように、接触プレート５２前端の片側上に突起５２１を加えて、接触プレート５２を通し穴４１２内に入りやすくし、突起５２１を通し穴４１２の凸プレート４１３上にはめ合わせる事ができ、簡単な干渉を形成して、接触プレート５２を通し穴４１２から抜けにくくする。さらに接触プレート５２の前端を図７に示すようにフォーク状に設計し、接触プレート５２が通し穴４１２内に進入後、接触プレート５２前端の分岐部分を湾曲加工して固定を形成する。或いは図８に示す方式を採用して、直接接触プレート５２前端を側湾に加工して固定を形成すると、どちらも本考案の要求する効果を達成することができる。
【００１５】
図９及び図１０は、本考案の電気コネクター構造の第二実施例の立体図及び分解図である。電気コネクター６００は主に絶縁本体６０、複数個の端子７０、ホルダープレート８０及び遮蔽ケース９０から構成される。長い枠体状を呈する絶縁本体６０の前端６１に接続ジャックを有し、オス電気コネクターと接続する。その後端６２上には多くの端子ソケット６３が設けれられ、絶縁本体６０上に等距離に多数配列され且つ、前後方向に貫通する溝６４が設置されている。
【００１６】
複数個の端子７０は各自独立して下に配列する端子ソケット６３内に挿入され、その接触端７１は前端６１方向へ延長され、且つ溶接端７２は絶縁本体６０の外へ延長される。ホルダープレート８０は複数個の同一方向に延長する双接点クリップ８１、当該双接点クリップ８１に連結する連結部８２、及び連結部８２から上向きに延長される延長部８１１から構成される。当該双接点クリップ８１は上に配列された端子ソケット６３から絶縁本体６０内を通して設置され、保持を形成し、連結部８２及び延長部８１１を絶縁本体６０の後端６２上に合わせる。且つ延長部８１１上にそれぞれ通し穴８１２を開け、各通し穴８１２は溝６４にきちんと対応している。
【００１７】
枠体状の金属製遮蔽ケース９０は、絶縁本体６０の前端６１方向から入れ、絶縁本体６０の外側に覆われる。それには絶縁本体６０と干渉させるために用いる複数個の接触プレート９１が設けられ、並びに溝６４内を貫通する。且つその接触プレート９１はさらに絶縁本体６０の後端６２方向へ延長して突き出し、接触プレート９１をホルダープレート８０の延長部８１１と接触を形成させる。接触プレート９１と延長部８１１との確実な接触を達成させるため、接触プレート９１上にクリップ状の干渉体９２を加えることができ、通し穴８１２を貫通した接触プレート９１に干渉を形成させることができる。
【００１８】
電気コネクター組立時の弾性を増加するため、干渉体９２の設置は実際の必要に応じて増減することができる。本考案の図９及び図１０の実施例中では、４個の接触プレート９１上だけに干渉体９２を加えたものを選択している。第図１１は接触プレート９１と延長部８１１との間の相互干渉の断面図を示し、図中からわかるように、クリップ状の干渉体９２と延長部８１１間の干渉により、接触プレート９１を延長部８１１から外れにくくしており、そのため、電気コネクターの各パーツ間の構造はさらに強固なものとなる。
【００１９】
本考案の電気コネクターの構造改良は、遮蔽ケース上の接触プレートを前向きに延長して絶縁本体を貫通した後、さらにホルダープレートを配合して干渉を形成し、遮蔽ケースとホルダープレート間に簡単で、確実な接触を形成することができる。さらに各パーツ間の構造強度を増加し、また従来の技術上の構造が複雑で、且つ組立てが容易でないという欠点を解決し、製造過程の能率を効果的に上げ、周知の技術と比較して新しい効果を有するものである。
【図面の簡単な説明】
【００２０】
【図１】従来の薄型電気コネクターの構造表示図である。
【図２】本考案の電気コネクターの第一実施例の組立図である。
【図３】本考案の電気コネクターの第一実施例の分解図である。
【図４】本考案の電気コネクターの第一実施例の横向き断面図である。
【図５】本考案の電気コネクターの第一実施例のアースプレート部分の背面図である。
【図６】本考案の電気コネクターの第一実施例の遮蔽ケースの立体図である。
【図７】本考案の電気コネクターの第一実施例の干渉方式の表示図である。
【図８】本考案の電気コネクターの第一実施例のもう一つの干渉方式の表示図である。
【図９】本考案の電気コネクターの第二実施例の組立図である。
【図１０】本考案の電気コネクターの第二実施例の分解図である。
【図１１】本考案の電気コネクターの第二実施例の局部断面図である。
【符号の説明】
【００２１】
１１  アースプレート
１２  絶縁体
１３  カバー
２０、６０  絶縁本体
２１、６１  前端
２２、６２  後端
２３、６３  端子ソケット
２４、６４  溝
３０、７０  端子  
３１、７１  接触部
３２、７２  溶接端
４０、８０  ホルダープレート
４１、８１  双接点クリップ
４２、８２  連結部
５０、９０  遮蔽ケース  
５１  ホールド部
５２、９１  接触プレート
９２  干渉体
１１１  アースクリップ部
１１２  アース端子部
１１３  ホルダー部
１２１  スリット
１３１  パネル
２００、６００  電気コネクター
４１１、８１１  延長部  
４１２、８１２  通し穴
４１３  凸プレート
５２１  突起
【図１】
0003123859.tif 000003
【図２】
0003123859.tif 000004
【図３】
0003123859.tif 000005
【図４】
0003123859.tif 000006
【図５】
0003123859.tif 000007
【図６】
0003123859.tif 000008
【図７】
0003123859.tif 000009
【図８】
0003123859.tif 000010
【図９】
0003123859.tif 000011
【図１０】
0003123859.tif 000012
【図１１】
0003123859.tif 000013